(57)【要約】【課題】地面に設けた凹部の底に直接敷設した砂の層によって免震を得ることができる建物の免震基礎構造を提供する。【解決手段】建物を構築せんとする地面２に、前記建物３の平面形状よりも平面的に大きな凹部４を形成し、前記凹部４の底部全面に砂の層５ａを所定の厚みで設け、この砂の層５ａの上に防水シート６を介して、凹部４の周囲と隙間を確保した状態で鉄筋コンクリート製の建物基礎７を載置し、前記凹部４の周囲と建物基礎７の周囲隙間を砂８で埋めた。【選択図】図１
2012197602.tif 000002
【特許請求の範囲】
【請求項１】
建物を構築せんとする地面に、前記建物の平面形状よりも平面的に大きな凹部を形成し、前記凹部の底部全面に砂の層を所定の厚みで設け、この砂の層の上に凹部の周囲と隙間を確保した状態で鉄筋コンクリート製の建物基礎を載置し、前記凹部の周囲と建物基礎の隙間を砂で埋めた建物の免震基礎構造。
【請求項２】
上記凹部の底部全面に設けた砂の層の上面と上記建物基礎の間に防水シートを敷設した請求項１に記載の建物の免震基礎構造。
【発明の詳細な説明】
【技術分野】
【０００１】
この発明は、地面と建物基礎の間に介在させた砂の層によって高い免震降下が得られると同時に、構造が簡単で施工コストが廉価な建物の免震基礎構造に関する。
【背景技術】
【０００２】
建物に対する機械的な免震装置として種々の構造のものが提案されているが、例えば、低層の建物に対しては機能的に過剰なものであり、また、これらの機械的な免震装置はコスト的に高くつくという問題がある。
【０００３】
そこで、機械的な免震装置を用いることなく、比較的低層の建物に対して免震の機能を導入するための免震基礎構造が考えられている。
【０００４】
従来の免震基礎構造は、建物を構築せんとする地面に、この建物の平面形状よりも少し大きめの凹部を掘削し、この凹部の低面全面に割栗石を敷きつめ、前記割栗石の上に鉄筋コンクリート盤を設け、次に、鉄筋コンクリート盤の上に玉砂利を所定の厚みで敷きつめ、更にその上に鉄筋コンクリート製の基礎耐圧盤を設け、この基礎耐圧盤の上に建物を構築するような構造になっている（例えば、特許文献１参照）。
【０００５】
上記のような免震基礎構造は、鉄筋コンクリート盤と基礎耐圧盤の間に設けた玉砂利が、地震発生時の鉄筋コンクリート盤の横揺れを基礎耐圧盤に伝わらないように減衰しようとするものである。
【先行技術文献】
【特許文献】
【０００６】
【特許文献１】実用新案登録第３０３６５７２号公報
【発明の概要】
【発明が解決しようとする課題】
【０００７】
ところで、上記のような免震基礎構造は、地面に設けた凹部の底部に割栗石を敷きつめてその上に鉄筋コンクリート盤を設け、更に鉄筋コンクリート盤の上に玉砂利の層と基礎耐圧盤を設けた構造になっているので、施工に手間とコストがかかるという問題がある。
【０００８】
また、玉砂利は、入手が困難であるだけでなく、建物の重量が加わることで全体が硬質の塊状となって個々に移動することがなく、このため、鉄筋コンクリート盤と基礎耐圧盤を構造的に結合した状態となり、地震発生時の鉄筋コンクリート盤の横揺れが基礎耐圧盤から建物に伝わることになり、免震効果が極めて少ないという問題がある。
【０００９】
そこで、この発明の課題は、上記のような点に鑑み、地面に設けた凹部の底に直接敷設した砂の層によって免震を得ることができるようにし、構造を簡単にして低コストで施工することができ、しかも、砂の層によって確実な免震効果を得ることができる建物の免震基礎構造を提供することにある。
【課題を解決するための手段】
【００１０】
上記の課題を解決するため、この発明は、建物を構築せんとする地面に、前記建物の平面形状よりも平面的に大きな凹部を形成し、前記凹部の底部全面に砂の層を所定の厚みで設け、この砂の層の上に凹部の周囲と隙間を確保した状態で鉄筋コンクリート製の建物基礎を設け、前記凹部の周囲と建物基礎の隙間を砂で埋めたものである。
【００１１】
上記凹部の底部全面に設けた砂の層の上面と上記建物基礎の間に防水シートを敷設した構造とすることができる。
【００１２】
ここで、地面に掘削した凹部は、底面と周面を締め固めた状態で、この凹部内に砂を、例えば１０ｃｍ以上の厚さになるよう水平に敷きつめるようにすることで砂の層を形成する。
【００１３】
この砂の層の上に防水シートを敷設した状態で、凹部内に建物基礎の型枠を組み立て、型枠内に配筋した状態でコンクリートを打設し、コンクリートの凝固後に型枠を解体することで、凹部の周囲との間に隙間のある建物基礎を構築し、この建物基礎の上に建物を構築すると共に、建物基礎の周囲と凹部の周囲の隙間に砂を充填し、凹部の周囲を崩れないようにする。
【発明の効果】
【００１４】
この発明によると、地面に設けた凹部の底面に直接砂を敷きつめて砂の層を形成し、この砂の層の上に建物基礎を構築したので、構造が極めて簡単シンプルで施工が短時間で行え、コストの低減が図れると共に、砂の層は建物基礎及び建物の重量が加わっても流動性を確保でき、地震発生時の地面の横揺れを砂の層によって緩衝することで建物基礎に伝わらないようにすることができ、これによって建物を地震の揺れから効果的に守ることができる。
【００１５】
また、砂は比較的入手が容易であり、コスト的に有利であると共に、重量の加わっている砂が外方に逃げるようなことはなく、凹部の底面と建物基礎の間に砂の層を経時的に常時確保することができる。
【図面の簡単な説明】
【００１６】
【図１】この発明に係る免震基礎構造の縦断正面図
【発明を実施するための形態】
【００１７】
以下、この発明の実施の形態を図示例に基づいて説明する。
【００１８】
図示のように、建物の免震基礎構造１は、建物を構築せんとする地面（地盤）２に、建物３の平面形状よりも少し大きな凹部４を所定の深さに掘削し、この凹部４の底面と周囲の土を押し固めた状態で、凹部４の底面上に砂５を全面にわたって水平に敷きつめる。
【００１９】
上記砂５は、例えば、１０ｃｍ以上の厚さとなるように敷きつめて砂の層５ａを形成するようにしておく。
【００２０】
上記砂の層５ａの上に合成樹脂製の防水シート６を敷設し、凹部４内で防水シート６の上に建物基礎７の型枠を組み立て、型枠内に配筋した状態でコンクリートを打設し、コンクリートの凝固後に型枠を解体することで、凹部４の周囲との間に隙間のある鉄筋コンクリート製の建物基礎７を形成し、この建物基礎７上に低層の建物３を構築する。なお、上記防水シート６は雨水による砂の層５ａの浸水発生を防いでいる。
【００２１】
上記建物基礎７の周囲と凹部４の周囲の隙間に砂８を充填し、凹部４の周囲を崩れないようにする。この周囲に埋めた砂８は、その流動性により地震発生時の地面２の横揺れが建物に伝わらないようにすることができる。
【００２２】
この発明の免震基礎構造１は、上記のような構成であり、地面２に設けた凹部４の底部に砂の層５ａが所定の厚みで設けてあるので、建物基礎７とその上に構築した建物３が防水シート６を介して砂の層５ａで支持され、地震発生時に地面２が横揺れした場合、凹部２の底面と建物基礎７の間に介在する砂の層５ａが、その流動性によりずれ動くことで振動を緩衝し、横揺れが建物基礎７に伝わらないようにすることで、建物３を地震の揺れから守ることができる。
【００２３】
なお、この砂の層５ａの厚さは建物の条件によって任意に設定すればよいが、例えば１０ｃｍ以下のように薄いと、地震発生時に地面と建物基礎７の間での流動性の発生が少なく、免震効果が低いことになる。
【００２４】
上記免震基礎構造１は、凹部４の底面に直接敷設した砂の層５ａと防水シート６及び建物基礎７で構成されているので、構成部材数が極めて少なく施工が簡単であると共に、施工の短期化と入手が簡単な砂５を用いることにより低コストで施工することができる。
【００２５】
また、砂の層５ａは、建物基礎７及び建物３の重量が加わっても建物基礎７の下から外方に逃げることがなく、建物基礎７の下に常時砂の層５ａを保持することができる。
【符号の説明】
【００２６】
１        免震基礎構造
２        地面
３        建物
４        凹部
５        砂
５ａ      砂の層
６        防水シート
７        建物基礎
８        砂
【図１】
2012197602.tif 000003